【事件の表示】
　特許第６３９７４５１号に関する訂正審判事件について、次のとおり審決する。
【結　論】
　特許第６３９７４５１号の明細書、特許請求の範囲を本件審判請求書に添付された訂正明細書、特許請求の範囲のとおり訂正することを認める。
【理　由】
第１　手続の経緯
　本件特許第６３９７４５１号（以下「本件特許」という。）は、平成２８年７月２０日に出願され、平成３０年９月７日に特許権の設定の登録がなされ、平成３１年２月２８日に本件訂正審判の請求がなされた。
　
第２　審判請求の趣旨
　本件審判請求の趣旨は、本件特許の明細書、特許請求の範囲を本件審判請求書に添付した訂正明細書、特許請求の範囲のとおり訂正することを認める、との審決を求めるものである。
　
第３　訂正の内容
　本件特許の訂正の内容は、次のとおりである。
　１　訂正事項１（請求項１に係る訂正事項）
　訂正事項１は、請求項１の「前記所定の有効期間の発生中に前記所定の入力が検出されないと、該所定の入力の非検出を特定したその次のフレーム更新タイミングで前記表示制御手段が生成する特定演出画像が前記表示手段に表示されるフレーム更新タイミングで前記所定の報知演出の前記第１演出及び前記第２演出を開始し」との記載を、「前記所定の有効期間の発生中に前記所定の入力が検出されない
場合は、当該所定の有効期間の終了
　
　２　訂正事項２（【０００８】に係る訂正事項）
　訂正事項２は、本件特許明細書の【０００８】の「前記所定の有効期間の発生中に所定の入力が検出されないと、該所定の入力の非検出を特定したその次のフレーム更新タイミングで前記表示制御手段が生成する特定演出画像（昇格成功演出画像）が前記表示手段に表示されるフレーム更新タイミングで前記所定の報知演出の前記第１演出及び第２演出を開始し」との記載を、「前記所定の有効期間の発生中に所定の入力が検出されない
場合は、当該所定の有効期間の終了
　
第４　当審の判断
　１　訂正事項１について
　（１）訂正の目的の適否について
　訂正前の請求項１の「前記所定の有効期間の発生中に前記所定の入力が検出されないと、該所定の入力の非検出を特定した」なる発明特定事項は、有効期間の経過前に「所定の入力の非検出」であることを特定する場合と、有効期間が終了するまで「所定の入力の非検出」状態にあったことを特定する場合の２通りに解釈することが可能であるため、請求項１に係る発明の内容が一義的に定まらないものとなっていた。
　そのため、訂正前の請求項１の記載は、不明瞭であった。
　そして、訂正事項１により、有効期間の終了を特定するまで「所定の入力の非検出」状態にあったことを明らかにするものであるから、訂正事項１は、明瞭でない記載の釈明を目的とするものである。
　したがって、訂正事項１は、特許法第１２６条第１項ただし書き第３号に掲げる事項を目的とするものである。
　
　（２）訂正が本件特許明細書、特許請求の範囲又は図面（以下「本件特許明細書等」という。）に記載した事項の範囲内のものであるか否かについて
　本件特許明細書の
【０５９３】に「サブＣＰＵ１３０ａは、ステップＥ６４７において、演出ボタン検出スイッチ１７ａからの検出信号を入力したか否かを判定し、検出信号を入力した場合（ステップＥ６４７：Ｙｅｓ）には、ステップＥ６４８において、有効期間タイマをクリアし、検出信号を入力していない場合（ステップＥ６４７：Ｎｏ）には、ステップＥ６４９において、有効期間タイマが０であるか否かを判定し、有効期間タイマが０でない場合（ステップＥ６４９：Ｎｏ）には、今回の変動演出中処理を終了し、有効期間タイマが０である場合（ステップＥ６４９：Ｙｅｓ）には、ステップＥ６５０に処理を移す。」と記載され、
【０５９４】に「サブＣＰＵ１３０ａは、ステップＥ６５０において、有効期間フラグをクリアし、ステップＥ６５１において、実行する演出は昇格演出Ｂであるか否かを判定し、昇格演出Ｂでない場合（ステップＥ６５１：Ｎｏ）には、ステップＥ６５２において、操作演出を実行するための操作演出態様を決定し、ステップＥ６５３において、決定した操作演出態様に対応する操作演出パターンコマンドをサブＲＡＭ１３０ｃの送信バッファにセットして今回の変動演出中処理を終了し、昇格演出Ｂである場合（ステップＥ６５１：Ｙｅｓ）には、ステップＥ６５４において、特別操作演出パターンコマンドをサブＲＡＭ１３０ｃの送信バッファにセットして今回の変動演出中処理を終了する。」と記載され、
【０７３６】に「Ｔ３のタイミングは、変動演出が開始されてから１５７５フレーム目の途中のタイミングであって所定時間（約１．５秒）に亘って発生していた有効期間が終了したタイミングである。このタイミングにおいて、演出制御部１３０ｍから特別操作演出パターンコマンドが表示／音声制御部１４０及びランプ／駆動制御部１５０に送信される。」と記載され、
【０７３７】に「Ｔ４のタイミングは、変動演出が開始されてから１５７６フレーム目となるタイミングであって昇格演出Ｂが行われる昇格演出期間の途中のフレーム更新タイミングである。このタイミングにおいて、表示／音声制御部１４０及びランプ／駆動制御部１５０は特別操作演出パターンコマンドを受信しているがハンドル発光装置１５ｃ及び可動演出部材７３用の盤用駆動装置７５の作動は開始されない。」と記載され、
【０７３８】に「また、Ｔ４のタイミングにおいて、第１フレームバッファへの画像データｐ（背景画像、昇格成功演出画像、各種図柄画像、各種アイコン画像等）の描画が開始され、第２フレームバッファに描画されていた画像データｏの画像表示装置への表示が開始され、画像表示装置には昇格演出表示画面ｏが表示された状態となる。」と記載され、
【０７３９】に「Ｔ５のタイミングは、変動演出が開始されてから１５７７フレーム目となるタイミングであって昇格演出Ｂが行われる昇格演出期間の途中のフレーム更新タイミングである。このタイミングにおいて、ハンドル発光装置１５ｃ及び可動演出部材７３用の盤用駆動装置７５の作動が開始される。」と記載され、
【０７４３】に「このように、特別操作演出パターンコマンドを受信したフレーム数から２フレーム（上述した同期調整値）後となる昇格成功演出を開始する画像データｐが表示されるフレーム更新タイミングに合わせて音声出力装置９やハンドル発光装置１５ｃを用いた確確演出が開始されるため、フレーム更新タイミングとズレた状態で確確演出（報知演出）が開始する場合と比べて、確確演出（報知演出）に関して遊技者への訴求力を高めることができ、遊技の興趣を向上させることが可能となる。」と記載されている。
　これらの記載、及び【図４９】、【図６４】の図示内容を参酌すると、本件特許明細書等には、所定の有効期間の終了（有効期間タイマ＝０）を特定したその次のフレーム更新タイミング（Ｔ４）で表示制御手段が生成する特定演出画像（画像データｐ）が表示手段（画像表示装置）に表示されるフレーム更新タイミング（Ｔ５）で所定の報知演出（確確演出）の第１演出（ハンドル発光装置の作動による演出）及び第２演出（盤用駆動装置の作動による演出）が開始されることが記載ないし図示されていることは明らかである。
　したがって、訂正事項１は、本件特許明細書等に記載した事項、もしくは、記載した事項から自明の事項であり、本件特許明細書等の全ての記載を総合することにより導かれる技術的事項との関係において新たな技術的事項を導入しないものであるから、本件特許明細書等に記載した事項の範囲内においてするものであり、特許法第１２６条第５項の規定に適合する。
　
　（３）訂正が実質上特許請求の範囲を拡張し、又は変更するものであるか否かについて
　訂正事項１の「所定の有効期間の終了を特定した」なる特定事項を追加するときに、訂正前の「該所定の入力の非検出を特定した」なる特定事項が削除されているが、訂正後の請求項１には「所定の入力が検出されない場合は、当該所定の有効期間の終了を特定した」なる特定事項があり、「所定の有効期間の終了」は「所定の入力が検出されない場合」（所定の入力の非検出）を前提とするものであると共に、訂正事項１は、請求項の追加、実施例の追加ではなく、また、カテゴリーや対象、目的を変更するものではないから、実質上特許請求の範囲を拡張し、又は変更するものには該当せず、特許法第１２６条第６項の規定に適合する。
　
　２　訂正事項２について
　訂正事項２は、訂正事項１に係る訂正に伴って、特許請求の範囲の記載と発明の詳細な説明の記載との整合を図るために、本件特許明細書の【０００８】の記載を、訂正後の請求項１の記載と整合させるものである。
　よって、訂正事項２は、特許法第１２６条第１項ただし書第３号に規定する「明瞭でない記載の釈明」を目的とするものである。
　
　また、上記１（２）、（３）において検討したと同様に、訂正事項２は、特許法第１２６条第５項及び同第６項の規定に適合する。
　
第４　むすび
　以上のとおりであるから、本件訂正審判の請求に係る訂正事項１、２は、特許法第１２６条第１項ただし書第３号に掲げる事項を目的とするものであり、かつ、同条第５項及び同第６項の規定に適合するものである。
　
　よって、結論のとおり審決する。